(57)【要約】      （修正有）【課題】遠心力で水が周りに飛び散る量を大幅に抑えられる回転式洗浄具を提供する。【解決手段】回転基板１２と、一側面に湾曲面を有する細長形状とされ、回転基板１２に対して所定の間隔を置いて放射状に配設された複数のスポンジ片１６と、回転基板１２の軸心２２に突設された保持用シャフト１８と、保持用シャフト１８に連結されて回転基板１２を回転駆動する電動回転駆動機構２０とを備えている。複数のスポンジ片１６は、それぞれの各湾曲面が回転基板１２の回転方向の前面となるように配置されている。【選択図】図３
0003155630.tif 000002
【実用新案登録請求の範囲】
【請求項１】
回転基板と、
一側面に湾曲面を有する細長形状とされ、前記回転基板に対して所定の間隔を置いて放射状に配設された複数のスポンジ片と、
前記回転基板の軸心に突設された保持用シャフトと、
前記保持用シャフトに連結されて前記回転基板を回転駆動する電動回転駆動機構とを備え、
前記複数のスポンジ片は、それぞれの各湾曲面が前記回転基板の回転方向の前面となるように配置されていることを特徴とする回転式洗浄具。
【請求項２】
請求項１に記載の回転式洗浄具において、
前記複数のスポンジ片は、各スポンジ片のいずれかの部分が前記回転基板の軸心から径方向に延びる直線を横断するように配置されていることを特徴とする回転式洗浄具。
【請求項３】
請求項１又は２に記載の回転式洗浄具において、
前記回転基板の外周面に沿って前記複数のスポンジ片の外周面を包覆する遮蔽体を設けたことを特徴とする回転式洗浄具。
【請求項４】
請求項１乃至３のいずれかに記載の回転式洗浄具において、
前記動回転駆動機構として電気ドリルが使用され、同電気ドリルのチャックで前記保持用シャフトが把持されていることを特徴とする回転式洗浄具。
【考案の詳細な説明】
【技術分野】
【０００１】
本考案は、特に手作業による自動車の洗車等に適した回転式洗浄具に関する。
【背景技術】
【０００２】
洗車をするにあたっては、通常、ホースの水を自動車のボディに流しながら布切れやスポンジで自動車のボディを拭いて汚れを落としている。汚れを十分落とすには、相当強い力で自動車のボディを拭い、それを数回繰り返す必要がある。さらに、その後、ワックスを自動車のボディに塗り、布切れやスポンジで自動車のボディを磨かねばならず、多大の時間および労力が要求される。
【０００３】
このため、従来から、給水ホースから放出される水の流出圧や電動モータ等を利用してスポンジを回転させる洗浄具が案出されている（例えば、特許文献１、特許文献２参照）。このような洗浄具を使用することにより、洗車の所要時間を短縮でき、また労力を軽減できる。
【先行技術文献】
【特許文献】
【０００４】
【特許文献１】特開平８−２８２４４９号公報
【特許文献２】特開２００１−２３１６３０号公報
【考案の概要】
【考案が解決しようとする課題】
【０００５】
しかしながら、従来の水の流出圧や電動モータ等を利用した洗浄具は、洗浄を行うスポンジが回転基板に対して全面一様に設けられているため、散水しながら洗浄したときに遠心力で水が周りに飛び散り易く、その分、多量の水を使用することになるという課題がある。
本考案は、上記の課題を解消するものであり、遠心力で水が周りに飛び散る量を大幅に抑えられる回転式洗浄具を提供することを目的とする。
【課題を解決するための手段】
【０００６】
以下の構成はそれぞれ上記の課題を解決するための手段である。
〈構成１〉
回転基板と、一側面に湾曲面を有する細長形状とされ、前記回転基板に対して所定の間隔を置いて放射状に配設された複数のスポンジ片と、前記回転基板の軸心に突設された保持用シャフトと、前記保持用シャフトに連結されて前記回転基板を回転駆動する電動回転駆動機構とを備え、前記複数のスポンジ片は、それぞれの各湾曲面が前記回転基板の回転方向の前面となるように配置されていることを特徴とする回転式洗浄具。
【０００７】
〈構成２〉
構成１に記載の回転式洗浄具において、前記複数のスポンジ片は、各スポンジ片のいずれかの部分が前記回転基板の軸心から径方向に延びる直線を横断するように配置されていることを特徴とする回転式洗浄具。
【０００８】
〈構成３〉
構成１又は２に記載の回転式洗浄具において、前記回転基板の外周面に沿って前記複数のスポンジ片の外周面を包覆する遮蔽体を設けたことを特徴とする回転式洗浄具。
【０００９】
〈構成４〉
構成１乃至３のいずれかに記載の回転式洗浄具において、前記動回転駆動機構として電気ドリルが使用され、同電気ドリルのチャックで前記保持用シャフトが把持されていることを特徴とする回転式洗浄具。
【考案の効果】
【００１０】
〈構成１の効果〉
水を介して回転洗浄しているときに、遠心力で各スポンジ片間の間隙を流動する水を各スポンジ片の湾曲面により規制して、周りに飛び散る水の量を大幅に抑えるので、その分、水の使用量が少なく洗浄効率もよい。
〈構成２の効果〉
水を介して回転洗浄しているときに、複数のスポンジ片により囲まれた、回転基板の軸心付近の空間内から、遠心力で各スポンジ片間の間隙から径方向に流出した水が一旦スポンジ片の側面（湾曲面）に突き当たるので、直接外方に流出することが阻止される。従って遠心力で周りに飛び散る水の量を効率よく抑えられる。
〈構成３の効果〉
回転基板の外周面に設けた遮蔽体により、遠心力で流動する水を遮って周りに飛び散る水の量を節減できる。
〈構成４の効果〉
全体構成が簡単であることに加えて、簡易に入手できる電気ドリルを利用するので、容易かつ安価に構成できる。
【図面の簡単な説明】
【００１１】
【図１】実施例１の回転式洗浄具を示す斜視図である。
【図２】同底面図である。
【図３】同回転式洗浄具の使用状態を示す説明図である。
【図４】実施例２の回転式洗浄具を示す底面図である。
【図５】実施例３の回転式洗浄具を示す図で、（ａ）は全体構成を示す斜視図、（ｂ）は一部の構成を示す斜視図である。
【考案を実施するための形態】
【００１２】
以下、本考案の実施の形態を説明する。
【実施例１】
【００１３】
図１は実施例１の回転式洗浄具１０を示す斜視図、図２は同底面図、図３は同回転式洗浄具の使用状態を示す説明図である。
【００１４】
これらの図に示されるように、回転式洗浄具１０は、回転基板１２と、回転基板１２に対して所定の間隔を置いて放射状に配設された複数のスポンジ片１６と、回転基板１２の軸心に突設された保持用シャフト１８と、保持用シャフト１８に連結されて回転基板１２を回転駆動する電動回転駆動機構２０とを備えている。
【００１５】
回転基板１２は、軸心に、保持用シャフト１８を取り付けるための貫通孔を有する円板体であり、プラスチック、木材、金属等のいずれか、又はこれらを適宜組み合わせてなるものである。
【００１６】
スポンジ片１６は、横断面がほぼ四角形をなす棒状体であり、一側面１４に湾曲面を有する細長形状とされている。スポンジ片１６の他の側面１５は、必ずしも図２に示すように一側面１４に沿うなだらかな曲面ではなくてもよく、平面を含む任意の面形状とされてもよい。
【００１７】
複数のスポンジ片１６は、それぞれの各湾曲面１４が回転基板１２の回転方向（矢印３４）の前面となるように同回転基板上に配置されている。
【００１８】
保持用シャフト１８は、適当な長さのボルトをナット２４等により回転基板１２に固定したものである。保持用シャフト１８は、図示のボルトに限らず、横断面が四角形や五角形等の多角形をなす棒状体でもよい。回転基板１２と保持用シャフト１８とは、プラスチックにより一体成形されてもよい。
【００１９】
電動回転駆動機構２０としては、片手で持つことができ、かつ回転軸を保持用シャフト１８に取り外し可能に連結できる電動式回転付与機器、例えば、充電式の電気ドリルが使用される。符号２２は電気ドリルの取手を示している。
【００２０】
回転式洗浄具１０の使用時には、図３に示すように、電気ドリル２０のチャック２８で保持用シャフト１８を締付けて連結する。電気ドリル２０によって回転基板１２と共に複数のスポンジ片１６が回転駆動される。複数のスポンジ片１６を自動車のボディ等の洗浄面３２に押し付けながら適宜水を介して回転洗浄を行う。
【００２１】
水道等からホースを使って供給される水を介して回転洗浄しているときに、遠心力で各スポンジ片１６間の間隙４６を流動する水が各スポンジ片１６の湾曲面１４により規制されて、周りに飛び散る水の量が大幅に抑えられる。その分、水の使用量が少なく洗浄効率もよい。
【実施例２】
【００２２】
図４は実施例２の回転式洗浄具４０を示す底面図である。実施例１と共通する部分には同一符号を付して重複説明を省略する。
【００２３】
この回転式洗浄具４０は、回転基板１２に複数のスポンジ片１６を、それらのいずれかの部分が回転基板１２の軸心から径方向に延びる直線４２Ａ、４２Ｂを横断するように配置したものである。
【００２４】
換言すれば、図４に示すように、回転基板１２の軸心から径方向に延びる任意の直線４２Ａ、４２Ｂは、回転基板１２の一面に放射状に配置された複数のスポンジ片１６のいずれかの部分を横断している。従って、図４に２本の直線４２Ａ、４２Ｂで示すように、各スポンジ片１６間の間隙４６を回転基板１２の軸心から見たときにスポンジ片１６の湾曲面１４のみが見え、相隣接するスポンジ片１６間から直接外方は見えない。
【００２５】
このように構成することにより、水を介して回転洗浄しているときに、複数のスポンジ片１６により囲まれた、回転基板１２の軸心付近の空間４４内から、遠心力で各スポンジ片１６間の間隙４６を経て径方向に流出した水が真っ先にスポンジ片１６の湾曲面１４に突き当たるので、直接外方に流出することが阻止される。従って遠心力で周りに飛び散る水の量を効率よく抑えられる。実験したところ、水の流出量を少なくとも５０％抑えうることが確認できた。
【実施例３】
【００２６】
図５は実施例３の回転式洗浄具５０を示す図で、（ａ）は全体構成を示す斜視図、（ｂ）は一部の構成を示す斜視図である。実施例１と共通する部分には同一符号を付して重複説明を省略する。
【００２７】
この回転式洗浄具５０は、図５（ａ）に示すように、回転基板１２の外周面に沿って複数のスポンジ片１６の外周面を包覆する遮蔽体３０を設けたものである。遮蔽体３０は、図５（ｂ）に示すように円筒形をなしており、回転基板１２の外周縁に固定される。
【００２８】
このように構成することにより、水を介して回転洗浄しているときに、遮蔽体３０が遠心力で流動する水を遮って周りに飛び散る水の量を節減する。
【符号の説明】
【００２９】
１０  回転式洗浄具
１２  回転基板
１４  一側面
１５  他の側面
１６  スポンジ片
１８  保持用シャフト
２０  電動回転駆動機構
２２  取手
２４  ナット
２６  電気ドリル
２８  チャック
３０  遮蔽体
３２  洗浄面
３４  矢印
４０  回転洗浄具
４２Ａ  軸心から径方向に延びる直線
４２Ｂ  軸心から径方向に延びる直線
４４  空間
４６  間隙
５０  回転洗浄具
【図１】
0003155630.tif 000003
【図２】
0003155630.tif 000004
【図３】
0003155630.tif 000005
【図４】
0003155630.tif 000006
【図５】
0003155630.tif 000007
【手続補正書】
【提出日】平成21年9月15日(2009.9.15)
【手続補正１】
【補正対象書類名】実用新案登録請求の範囲
【補正対象項目名】全文
【補正方法】変更
【補正の内容】
【実用新案登録請求の範囲】
【請求項１】
回転基板と、
一側面に湾曲面を有する細長形状とされ、前記回転基板に対して所定の間隔を置いて放射状に配設された複数のスポンジ片と、
前記回転基板の軸心に突設された保持用シャフトと、
前記保持用シャフトに連結されて前記回転基板を回転駆動する電動回転駆動機構とを備え、
前記複数のスポンジ片は、それぞれの各湾曲面が前記回転基板の回転方向の前面となるように配置されていることを特徴とする回転式洗浄具。
【請求項２】
請求項１に記載の回転式洗浄具において、
前記複数のスポンジ片は、各スポンジ片のいずれかの部分が前記回転基板の軸心から径方向に延びる直線を横断するように配置されていることを特徴とする回転式洗浄具。
【請求項３】
請求項１又は２に記載の回転式洗浄具において、
前記回転基板の外周面に沿って前記複数のスポンジ片の外周面を包覆する遮蔽体を設けたことを特徴とする回転式洗浄具。
【請求項４】
請求項１乃至３のいずれかに記載の回転式洗浄具において、
前記電動回転駆動機構として電気ドリルが使用され、同電気ドリルのチャックで前記保持用シャフトが把持されていることを特徴とする回転式洗浄具。
【手続補正２】
【補正対象書類名】明細書
【補正対象項目名】０００９
【補正方法】変更
【補正の内容】
【０００９】
〈構成４〉
構成１乃至３のいずれかに記載の回転式洗浄具において、前記電動回転駆動機構として電気ドリルが使用され、同電気ドリルのチャックで前記保持用シャフトが把持されていることを特徴とする回転式洗浄具。